(57)【要約】      （修正有）【課題】自走式で興趣に溢れるとともに筆記具の頂部に取り付け可能なバイク形態の装飾体玩具を提供する。【解決手段】青色、黄色、赤色又は緑色に着色されたダイキャスト製のボディ３を具備するバイク形態の装飾体玩具本体３と、この装飾体玩具本体３の後輪９の軸部に組み込んだプルバック式の動力発生機構部を有するギヤボックス１０と、装飾体玩具本体２の底部に設けた筆記具頂部用嵌め着け受部とを有する。【選択図】図５
0003119528.tif 000002
【実用新案登録請求の範囲】
【請求項１】
プルバック式で自走する装飾体玩具本体と、この装飾体玩具本体の底部に設けた筆記具頂部用嵌め着け受部とを有することを特徴とする装飾体玩具。
【請求項２】
装飾体玩具本体と、この装飾体玩具本体の車輪の軸部に組み込んだプルバック式の動力発生機構部と、装飾体玩具本体の底部に設けた筆記具頂部用嵌め着け受部とを有することを特徴とする装飾体玩具。
【請求項３】
青色、黄色、赤色又は緑色に着色されたダイキャスト製のボディを具備するバイク形態の装飾体玩具本体と、この装飾体玩具本体の車輪の軸部に組み込んだプルバック式の動力発生機構部と、装飾体玩具本体の底部に設けた筆記具頂部用嵌め着け受部とを有することを特徴とする装飾体玩具。
【請求項４】
プルバック式で自走する装飾体玩具本体と、この装飾体玩具本体の底部に設けた筆記具頂部用嵌め着け受部とを有する装飾体玩具を、筆記具の頂部に設けた嵌着部を前記筆記具頂部用嵌め着け受部に着脱可能に嵌着することで保持したことを特徴とする装飾体玩具付筆記具。
【請求項５】
装飾体玩具本体と、この装飾体玩具本体の車輪の軸部に組み込んだプルバック式の動力発生機構部と、装飾体玩具本体の底部に設けた筆記具頂部用嵌め着け受部とを有する装飾体玩具を、筆記具の頂部に設けた嵌着部を前記筆記具頂部用嵌め着け受部に着脱可能に嵌着することで保持したことを特徴とする装飾体玩具付筆記具。
【請求項６】
青色、黄色、赤色又は緑色に着色されたダイキャスト製のボディを具備するバイク形態の装飾体玩具本体と、この装飾体玩具本体の車輪の軸部に組み込んだプルバック式の動力発生機構部と、装飾体玩具本体の底部に設けた筆記具頂部用嵌め着け受部とを有する装飾体玩具を、筆記具の頂部に設けた嵌着部を前記筆記具頂部用嵌め着け受部にスライド式で着脱可能に嵌着することで保持したことを特徴とする装飾体玩具付筆記具。
【請求項７】
ダイキャスト製のボディを具備するバイク形態の装飾体玩具本体と、この装飾体玩具本体の車輪の軸部に組み込んだプルバック式の動力発生機構部と、装飾体玩具本体の底部に設けた筆記具頂部用嵌め着け受部とを有する装飾体玩具を、ノック式のシャープペンからなる筆記具の頂部に設けた嵌着部を前記筆記具頂部用嵌め着け受部にスライド式で着脱可能に嵌着することで保持したことを特徴とする装飾体玩具付筆記具。
【請求項８】
ダイキャスト製のボディを具備するバイク形態の装飾体玩具本体と、この装飾体玩具本体の車輪の軸部に組み込んだプルバック式の動力発生機構部と、装飾体玩具本体の底部に設けた筆記具頂部用嵌め着け受部とを有する装飾体玩具を、ノック式のボールペンからなる筆記具の頂部に設けた嵌着部を前記筆記具頂部用嵌め着け受部にスライド式で着脱可能に嵌着することで保持したことを特徴とする装飾体玩具付筆記具。
【考案の詳細な説明】
【技術分野】
【０００１】
本考案は、装飾体玩具及び装飾体玩具付筆記具に関するものである。
【背景技術】
【０００２】
従来、プルバック式で自走する例えば四輪自動車形態の玩具が提案され実用化されている。また、このような四輪自動車形態の玩具をボールペン等の筆記具の頂部に取り付けた自動車玩具付筆記具も提案され実用化されている。
【０００３】
しかし、プルバック式で自走するバイク（二輪自動車）玩具形態のものや、このようなバイク玩具形態を筆記具の頂部に着脱可能に取り付けたバイク玩具付筆記具は存在しないのが現状である。
【０００４】
特許文献１には、四輪自動車玩具を筆記具の頂部に着脱可能に取り付けた玩具付筆記具が提案されている。しかし、この玩具付筆記具も玩具形態として四輪自動車形態を採用したものであり、バイク（二輪自動車）形態のものではない。
【特許文献１】特開２００４−２３０６６９号公報
【考案の開示】
【考案が解決しようとする課題】
【０００５】
解決しようとする問題点は、自走式で興趣に溢れるとともに筆記具の頂部に取り付け可能なバイク形態の装飾体玩具、更にはこのような装飾体玩具を着脱可能に保持し、筆記具としての機能及び興趣に溢れた玩具としての機能の双方を発揮し得る装飾体玩具付筆記具が存在しない点である。
【課題を解決するための手段】
【０００６】
本考案の装飾体玩具は、プルバック式で自走するバイク形態の装飾体玩具本体と、この装飾体玩具本体の底部に設けた筆記具頂部用嵌め着け受部とを有することを最も主要な特徴とする。
【考案の効果】
【０００７】
本考案によれば、以下の効果を奏する。
請求項１乃至３記載の考案によれば、プルバック式で自走する装飾体玩具本体と、この装飾体玩具本体の底部に設けた筆記具頂部用嵌め着け受部とを有する構成で、簡略なプルバック操作だけで興趣に溢れた走行玩具として機能させることができ、また、筆記具と組み合わせることも可能な装飾体玩具を提供することができる。この場合、プルバック式の自走は、装飾体玩具本体の車輪の軸部にプルバック式の動力発生機構部を組み込むことにより実現できる。更に、装飾体玩具本体を、青色、黄色、赤色又は緑色に着色されたダイキャスト製のボディを具備するバイク形態とすることで、簡略なプルバック操作だけで興趣に溢れたバイク形態の走行玩具として機能させることができる装飾体玩具を提供することができる。
【０００８】
請求項４乃至６記載の考案によれば、プルバック式で自走する装飾体玩具本体と、この装飾体玩具本体の底部に設けた筆記具頂部用嵌め着け受部とを有する装飾体玩具を、筆記具の頂部に設けた嵌着部を前記筆記具頂部用嵌め着け受部に着脱可能に嵌着することで保持した構成で、前記筆記具の筆記機能を発揮させることができるとともに、筆記具から装飾体玩具をスライドさせて離脱させれば、この装飾体玩具を簡略なプルバック操作だけで興趣に溢れた走行玩具として機能させることができる装飾体玩具付筆記具を提供することができる。
【０００９】
この場合、装飾体玩具のプルバック式の自走は、装飾体玩具本体の車輪の軸部にプルバック式の動力発生機構部を組み込むことにより実現できる。更に、装飾体玩具本体を、青色、黄色、赤色又は緑色に着色されたダイキャスト製のボディを具備するバイク形態とすることで、簡略なプルバック操作だけで興趣に溢れたバイク形態の走行玩具として機能させることができる装飾体玩具付筆記具を提供することができる。
【００１０】
請求項７記載の考案によれば、筆記具によりノック式のシャープペンとしての筆記機能を発揮させることができるとともに、筆記具から装飾体玩具をスライドさせて離脱させれば、簡略なプルバック操作だけで青色又は黄色に着色されたボディを有するバイク形態の走行玩具として興趣に溢れる機能を発揮する装飾体玩具付筆記具を提供することができる。
【００１１】
請求項８記載の考案によれば、筆記具によりノック式のボールペンとしての筆記機能を発揮させることができるとともに、筆記具から装飾体玩具をスライドさせて離脱させれば、簡略なプルバック操作だけで赤色又は緑色に着色されたボディを有するバイク形態の走行玩具として興趣に溢れる機能を発揮する装飾体玩具付筆記具を提供することができる。
【考案を実施するための最良の形態】
【００１２】
本考案は、自走式のバイク形態の装飾体玩具を着脱可能に保持し、筆記具としての機能及び興趣に溢れた玩具としての機能の双方を発揮し得る装飾体玩具付筆記具を提供するという目的を、青色、黄色、赤色又は緑色に着色されたダイキャスト製のボディを具備するバイク形態の装飾体玩具本体と、この装飾体玩具本体の車輪の軸部に組み込んだプルバック式の動力発生機構部と、装飾体玩具本体の底部に設けた筆記具頂部用嵌め着け受部とを有する装飾体玩具を、筆記具の頂部に設けた嵌着部を前記筆記具頂部用嵌め着け受部にスライド式で着脱可能に嵌着することで保持した構成により実現した。
【実施例】
【００１３】
以下に、本考案の実施例を詳細に説明する。
（実施例１）
本考案の実施例１に係る装飾体玩具１について、図１乃至図１０を参照して説明する。
【００１４】
本実施例１の装飾体玩具１は、図１乃至図５に示すように、有彩色（青色、黄色、赤色又は緑色等）に着色されたダイキャスト製のボディ３を具備するバイク形態の装飾体玩具本体２を有している。
【００１５】
この装飾体玩具本体２は、ダイキャスト製のボディ３に、風防４、ハンドル５、シート６、前輪７、マフラー８、詳細は後述する前記ボディ３に対して着脱可能な合成樹脂製のギヤボックス１０に含まれる後輪９等を設けることで、全体としてバイク形態の玩具を構成している。
【００１６】
前記ギヤボックス１０は、図６に示すように、前記ボディ３に対してその後部側において着脱可能に構成されるとともに、前記後輪９の軸部に組み込んだ以下に詳述するプルバック式の動力発生機構部１１を具備し、更にその底部に図３にも示す筆記具頂部用嵌め着け受部１２を設けている。
【００１７】
すなわち、ギヤボックス１０におけるボックス基板１３の底部１３ｂには、図３に示すように、テーパー状の受け入れ口部１２ａ及び略半円状の受け止め穴部１２ｂからなる筆記具頂部用嵌め着け受部１２を形成している。
【００１８】
前記底部１３ｂが形成する平面は、床面等と接触することで装飾体玩具本体２自体の横転防止機能を発揮するようになっている。
【００１９】
なお、図３中の符号１２ｃは、筆記具頂部用嵌め着け受部１２における略半円状の受け止め穴部１２ｂの略中心部分（すなわち受け入れ口部１２ａと反対の位置）に設けた切欠部である。
【００２０】
この切欠部１２ｃは、後記実施例２に説明するように、装飾体玩具１と筆記具の頂部との着脱の際に、筆記具頂部における嵌合部分等の破損を未然に防止するため、不用意な力が当該嵌合部分に加わったとき、筆記具頂部が切欠部１２ｃから外脱するようにしたものである。
【００２１】
前記ギヤボックス１０について以下に詳述する。
このギヤボックス１０は、図６、図７、図８に示すように、ボックス基板１３と、中基板１４と、蓋基板１５とを重合構造とするとともに、プルバック式の動力発生機構部１１を組み込み、組み上げ状態では全体として略直方体状に形成している。
【００２２】
前記プルバック式の動力発生機構部１１は、図７に示すように、ボックス基板１３の後方の端部から突設した軸支ピン１３ａに後輪９及びこの後輪９と同軸で一体の後輪歯車２１を嵌装し、後輪９の外周をギヤボックス１０の後方から床面等に接地可能に露出している。
なお、図７は、ボックス基板１３に中基板１４を組み込み、蓋基板１５を除去した状態を示すものである。
【００２３】
また、プルバック式の動力発生機構部１１は、前記後輪歯車２１と噛合する大径歯車２２ａと、小径歯車２２ｂとを有する第１の２段歯車２２と、中基板１４と図７には図示しない蓋基板１５との間に配置され、前記第１の２段歯車２２における大径歯車２２ａと噛合する伝達歯車２３を有している。
【００２４】
前記伝達歯車２３は、図６に示すように、その一方の面から突出させた軸ピン２３ａが蓋基板１５に設けた長穴１５ａにより支持され、他方の面から突出させた軸ピン（図示せず）を中基板１４に設けた長穴（図示せず）により支持されて図７に示す矢印方向ａ、ｂに変位可能であり、これにより伝達歯車２３の歯車部が前記第１の２段歯車２２における大径歯車２２ａ及び後述する畜力用歯車２４の小径歯車２４ｂと接離するように構成している。
【００２５】
更に、プルバック式の動力発生機構部１１は、前記伝達歯車２３と噛合する小径歯車２４ｂと、大径歯車２４ａとを有するとともに、大径歯車２４ａの中心部からボックス基板１３側へ突出する部分に、図９に示すように前記ボックス基板１３に反時計方向に巻回した状態で収容した例えばステンレスの帯状材からなるゼンマイ（コイルバネ）３０の中心部に形成した連続湾曲形状の係合受部３０ａに係合してこのゼンマイ３０を巻き込む（又は巻き戻される）巻込用突片部２４ｃを有する畜力用歯車２４を有している。
【００２６】
前記巻込用突片部２４ｃは、大径歯車２４ａの中心部から突設した軸ピン２４ｄ、この軸ピン２４ｄの両側近傍に１８０度配置で突設した突ピン２４ｅ、２４ｆを有している。
【００２７】
更に、プルバック式の動力発生機構部１１は、図８に示すように、前記畜力用歯車２４における大径歯車２４ａと噛合する小径歯車２５ｂと、前記第１の２段歯車２２における小径歯車２２ｂと噛合する大径歯車２５ａとを有する第２の２段歯車２５を有している。
【００２８】
この第２の２段歯車２５は、その軸ピン２５ｃが前記ボックス基板１３に設けた長穴１３ｃと、前記中基板１４に設けた長穴１３ｃと対応する形状の長穴（図示せず）とにより支持されて、図８に示す矢印ｃ、ｄ方向に変位可能であり、これにより、この第２の２段歯車２５は、前記第１の２段歯車２２と前記畜力用歯車２４とに接離するようになっている。
なお、図８は、図７に示す状態から、伝達歯車２３及び中基板１４を除去した状態を示すものである。
【００２９】
上述したプルバック式の動力発生機構部１１に対する畜力操作は、以下のようにして行う。
すなわち、図７に示すように、前記後輪９、従って、後輪歯車２１を指等で時計方向に回すか、又は、前記後輪９を接地して装飾体玩具１を指間等で保持し後方に（後退方向に）引くと、後輪歯車２１と噛合する第１の２段歯車２２の大径歯車２２ａが反時計方向に回転し、伝達歯車２３は時計方向に回転し、畜力用歯車２４の小径歯車２４ｂは反時計方向に回転する。
【００３０】
これにより、畜力用歯車２４に設けた巻込用突片部２４ｃがゼンマイ３０の中心部の係合受部３０ａに係合してこのゼンマイ３０を反時計方向に巻き込み、この結果ゼンマイ３０は畜力状態となる。
【００３１】
なお、第１の２段歯車２２が反時計方向に回転するとき、この第１の２段歯車２２の小径歯車２２ｂと噛合する第２の２段歯車２５の大径歯車２５ａは第１の２段歯車２２から離れる方向（図８に示す矢印ｄ方向）に変位し、伝達歯車２３から畜力用歯車２４への回転の伝達に関与しない。
【００３２】
次に、前記装飾体玩具１から指等を離し、回転操作力を無くすと、ゼンマイ３０は蓄えた力を放出する状態となる。
すなわち、図８に示すように、ゼンマイ３０の中心部の係合受部３０ａから畜力用歯車２４の巻込用突片部２４ｃに時計方向の回転力が伝達され、畜力用歯車２４は時計方向に回転する。
【００３３】
前記畜力用歯車２４の時計方向の回転に伴い、畜力用歯車２４の大径歯車２４ａと噛合している第２の２段歯車２５の小径歯車２５ｂ、従って大径歯車２５ａは反時計方向に回転し、この大径歯車２５ａから第１の２段歯車２２の小径歯車２２ｂ、従って、大径歯車２２ａは時計方向に回転し、これにより、後輪歯車２１、従って後輪９は、反時計方向に回転し、前記装飾体玩具１は、図１０に示すように前方へ走行する状態となる。
【００３４】
この場合、畜力用歯車２４の時計方向の回転に伴って、第２の２段歯車２５から第１の２段歯車２２への回転は増速され、更に第１の２段歯車２２から後輪歯車２１への回転も増速されるので、後輪歯車２１、従って、後輪９は、高速に回転することになり、この結果、前記装飾体玩具１は、高速で前方へ走行する。
【００３５】
なお、前記ゼンマイ３０が蓄えた力を放出する状態において、伝達歯車２３は、畜力用歯車２４の小径歯車２４ｂの回転に伴いこの小径歯車２４ｂから離れる方向（図７に示す矢印ａ方向）に変位し、畜力用歯車２４から第２の２段歯車２５への回転の伝達には関与しない。
【００３６】
以上説明した本実施例１のバイク形態の装飾体玩具１によれば、前記後輪９を接地して装飾体玩具１を指間等に保持し後方に（後退方向に）引くことで、プルバック式の動力発生機構部１１のゼンマイ３０に畜力され、装飾体玩具１を指間等から離すとゼンマイ３０に畜えられた力が自動的に放出され、図１０に示すようにこの装飾体玩具１を高速で前方に走行させることができ、興趣に溢れた玩具として遊興に供することができる。
【００３７】
（実施例２）
次に、図１１乃至図１３を参照して、本考案の実施例２に係る装飾体玩具付筆記具４１について説明する。
【００３８】
本実施例２の装飾体玩具付筆記具４１は、実施例１のバイク形態の装飾体玩具１と、ノック式でペン先から鉛筆芯５１ｃを出没させるシャープペンとして機能する筆記具５１とを着脱可能に組み合わせたものである。
【００３９】
更に詳述すると、筆記具５１の頂部に設けた嵌着部５２は、この頂部に突出形成した小径部５３、大径部５４の２段構造で、図１３に示すように、前記ボックス基板１３の底部１３ｂに設けたテーパー状の受け入れ口部１２ａから嵌着部５２をスライド状態で嵌め込み、小径部５３を略半円状の受け止め穴部１２ｂに嵌着することで、筆記具５１の頂部を装飾体玩具１の底部に取り付け、装飾体玩具付筆記具４１を構成するようになっている。
【００４０】
また、装飾体玩具１を片手に持ち、筆記具５１をもう一方の片手で保持し、筆記具５１を嵌着時と反対方向にスライドさせることで、筆記具５１と、装飾体玩具１とを容易に分離させることが可能となっている。前記筆記具５１の頂部における嵌着部５２の近傍には、蛇腹部５５を形成している。
【００４１】
本実施例２の装飾体玩具付筆記具４１によれば、簡略なスライド操作にて装飾体玩具１を筆記具５１の頂部に取り付けた状態として、ノック式のシャープペンとして筆記等の用に供したり、装飾体玩具１を筆記具５１の頂部から取り外し、この装飾体玩具１を既述したような興趣に溢れた玩具として遊興に供したりすることができる。
【００４２】
図１２は、実施例２の変形例であり、実施例１のバイク形態の装飾体玩具１と、ノック式でペン先からボール芯５１ｄを出没させるボールプペンとして機能する筆記具５１Ａとを着脱可能に組み合わせた装飾体玩具付筆記具４１Ａを示すものである。
この装飾体玩具付筆記具４１Ａにおいても、装飾体玩具付筆記具４１と同様、簡略なスライド操作にて装飾体玩具１を筆記具５１Ａの頂部に取り付けた状態として、ノック式のボールペンとして筆記等の用に供したり、装飾体玩具１を筆記具５１Ａの頂部から取り外し、この装飾体玩具１を既述したような興趣に溢れた玩具として遊興に供したりすることができる。
なお、前記実施例１で説明したように、筆記具頂部用嵌め着け受部１２における切欠部１２ｃにより、装飾体玩具１と筆記具５１Ａの頂部との着脱の際に、筆記具頂部における嵌合部分等の破損を未然に防止するため、不用意な力が当該嵌合部分に加わったとき、筆記具頂部が切欠部１２ｃから外脱するようになっている。
【００４３】
（実施例３）
次に、本考案の実施例３に係る装飾体玩具付筆記具セット６１、７１について図１４と図１５を参照して説明する。
【００４４】
本実施例３においては、装飾体玩具１として、ボディ３を例えば４色に色分けしたもの合計４０個用意する。
すなわち、ボディ３を青色（図１４において縦線を付して示す）に着色した装飾体玩具１Ａを１０個、ボディ３を黄色（図１４において横線を付して示す）に着色した装飾体玩具１Ｂを１０個、ボディ３を赤色（図１４において斜線を付して示す）に着色した装飾体玩具１Ｃを１０個、ボディ３を緑色（図１４においてクロス斜線を付して示す）に着色した装飾体玩具１Ｄを１０個用意する。
【００４５】
本実施例３の装飾体玩具付筆記具セット６１は、青色に着色した１０個の装飾体玩具１Ａに、各々既述した場合と同様にして１０本のシャープペンとして機能する前記筆記具５１の頂部を取り付けて１０個の装飾体玩具付筆記具とし、同様に黄色に着色した１０個の装飾体玩具１Ｂに、各々既述した場合と同様にして１０本のシャープペンとして機能する前記筆記具５１の頂部を取り付けて１０個の装飾体玩具付筆記具とする。
【００４６】
そして、これら合計２０個の装飾体玩具付筆記具を、図１５左欄に示すように、箱型状の支持体７２に設けた２０個の支持孔７３に各々差し込んで配列することで装飾体玩具付筆記具セット６１とするものである。
【００４７】
なお、図１５左欄は青色に着色した１個の装飾体玩具１Ａに前記筆記具５１の頂部を取り付けて構成した１個の装飾体玩具付筆記具のみを支持体７２の支持孔７３に差し込んだ状態を示すものである。
【００４８】
また、本実施例３の装飾体玩具付筆記具セット７１は、赤色に着色した１０個の装飾体玩具１Ｃに、各々既述した場合と同様にして１０本のボールペンとして機能する前記筆記具５１Ａの頂部を取り付けて１０個の装飾体玩具付筆記具とし、同様に緑色に着色した１０個の装飾体玩具１Ｄに、各々既述した場合と同様にして１０本のボールペンとして機能する前記筆記具５１Ａの頂部を取り付けて１０個の装飾体玩具付筆記具とする。
【００４９】
そして、これら合計２０個の装飾体玩具付筆記具を、図１５右欄に示すように、箱型状の支持体７２に設けた２０個の支持孔７３に各々差し込んで配列することで装飾体玩具付筆記具セット７１とするものである。
【００５０】
なお、図１５右欄は赤色に着色した１個の装飾体玩具１Ｃに前記筆記具５１Ａの頂部を取り付けて構成した１個の装飾体玩具付筆記具のみを支持体７２の支持孔７３に差し込んだ状態を示すものである。
【００５１】
本実施例３の装飾体玩具付筆記具セット６１によれば、ボディ３を青色に着色した装飾体玩具１Ａとシャープペンとして機能する筆記具５１とを組み合わせたものと、ボディ３を黄色に着色した装飾体玩具１Ｂとシャープペンとして機能する筆記具５１とを組み合わせたものとからなる合計２０個の装飾体玩具付筆記具を、箱型状の支持体７２に設けた２０個の支持孔７３に各々差し込んで配列することで構成したものであるから、青色、黄色の色分けによりシャープペンの購入を望む需要者の好みに合わせた装飾体玩具付筆記具を提供でき、販売促進を期待できる装飾体玩具付筆記具セット６１を提供することができる。
【００５２】
また、本実施例３の装飾体玩具付筆記具セット７１によれば、ボディ３を赤色に着色した装飾体玩具１Ｃとボールペンとして機能する筆記具５１Ａとを組み合わせたものと、ボディ３を緑色に着色した装飾体玩具１Ｄとボールペンとして機能する筆記具５１とを組み合わせたものとからなる合計２０個の装飾体玩具付筆記具を、箱型状の支持体７２に設けた２０個の支持孔７３に各々差し込んで配列することで構成したものであるから、赤色、緑色の色分けによりシャープペンの購入を望む需要者の好みに合わせた装飾体玩具付筆記具を提供でき、販売促進を期待できる装飾体玩具付筆記具セット６１を提供することができる。
【００５３】
（実施例４）
次に、図１６乃至図１９を参照して本考案の実施例４に係る装飾体玩具付筆記具４１Ｂについて説明する。
【００５４】
本実施例４に係る装飾体玩具付筆記具４１Ｂは、実施例２の装飾体玩具付筆記具４１と基本的な構成は同様であるが、この装飾体玩具付筆記具４１Ｂは、図１６乃至図１９に示すように、既述した場合と同様な合成樹脂製のギヤボックス１０をバイク形態のボディとして機能させるとともに、その前方端部側にピン８１を介して前輪フレーム８２を取り付け、前輪フレーム８２にハンドル８３、前輪８４等を組み込んでいる。
【００５５】
また、ギヤボックス１０には、既述した場合と同様、後輪９、プルバック式の動力発生機構部１１（図示せず）、筆記具頂部用嵌め着け受部１２を設けている。そして、筆記具頂部用嵌め着け受部１２に、実施例２の場合と同様、シャープペンとして機能する筆記具５１の頂部の嵌着部５２を嵌め着けることで装飾体玩具付筆記具４１Ｂを構成している。
【００５６】
ギヤボックス１０における筆記具頂部用嵌め着け受部１２に、ボールペンとして機能する筆記具５１Ａの頂部の嵌着部５２を嵌め着けることで装飾体玩具付筆記具を構成することももちろん可能である。
【００５７】
本実施例４に係る装飾体玩具付筆記具４１Ｂによれば、前記ギヤボックス１０自体をバイク形態のボディとして機能させる構成で、実施例２の場合と同様、簡略なスライド操作にてギヤボックス１０を筆記具５１の頂部に取り付けた状態として、ノック式のシャープペンとして筆記等の用に供したり、ギヤボックス１０を筆記具５１の頂部から取り外して、このギヤボックス１０自体を既述したような興趣に溢れた走行玩具として遊興に供したりすることができる。ボールペンとして機能する筆記具５１Ａを用いた場合にも、同様な作用効果を発揮させることができる。
【００５８】
また、前記ギヤボックス１０自体を、実施例３のように有彩色（青色、黄色、赤色、緑色等）で色分けし、筆記具５１、筆記具５１Ａと組み合わせることで、実施例３のような装飾体玩具付筆記具セットを構成し、販売に供することも可能である。
【産業上の利用可能性】
【００５９】
本考案は、上述した場合の他、ギヤボックスを含む装飾体玩具の形態、形状を、犬、猫や虎等の動物玩具の形態、形状等として装飾体玩具付筆記具を構成したり、これらを用いて装飾体玩具付筆記具セットを構成したり等、広範な応用が可能である。
【図面の簡単な説明】
【００６０】
【図１】本考案の実施例１に係る装飾体玩具の正面図である。
【図２】本実施例１に係る装飾体玩具の平面図である。
【図３】本実施例１に係る装飾体玩具の底面図である。
【図４】本実施例１に係る装飾体玩具の側面図である。
【図５】本実施例１に係る装飾体玩具の斜視図である。
【図６】本実施例１に係る装飾体玩具の装飾体玩具本体とギヤボックスとを分離した状態を示す側面図である。
【図７】本実施例１に係る装飾体玩具のギヤボックス内の歯車の配列構造を示す図である。
【図８】本実施例１に係る装飾体玩具のギヤボックス内の歯車の配列構造を示す図である。
【図９】本実施例１に係る装飾体玩具のギヤボックス内の畜力用歯車、ゼンマイの構造を示す説明図である。
【図１０】本実施例１に係る装飾体玩具の装飾体玩具の走行状態を示す説明図である。
【図１１】本考案の実施例２に係る装飾体玩具付筆記具の側面図である。
【図１２】本実施例２に係る装飾体玩具付筆記具の他例の側面図である。
【図１３】本実施例２に係る装飾体玩具に対する筆記具の嵌着状態を示す説明図図である。
【図１４】本考案の実施例３に係る装飾体玩具付筆記具セットに使用する４色に色分けした装飾体玩具を示す説明図である。
【図１５】本考案の実施例３に係る装飾体玩具付筆記具セットを示す斜視図である。
【図１６】本考案の実施例４に係る装飾体玩具付筆記具の側面図である。
【図１７】本実施例４に係る装飾体玩具付筆記具の概略正面図である。
【図１８】本実施例４に係る装飾体玩具付筆記具の概略平面図である。
【図１９】本実施例４に係る装飾体玩具付筆記具の概略底面図である。
【符号の説明】
【００６１】
１    装飾体玩具
１Ａ  装飾体玩具
１Ｂ  装飾体玩具
１Ｃ  装飾体玩具
１Ｄ  装飾体玩具
２    装飾体玩具本体
３    ボディ
４    風防
５    ハンドル
６    シート
７    前輪
８    マフラー
９    後輪
１０    ギヤボックス
１１    動力発生機構部
１２    筆記具頂部用嵌め着け受部
１２ａ  受け入れ口部
１２ｂ  受け止め穴部
１２ｃ  切欠部
１３    ボックス基板
１３ａ  軸支ピン
１３ｂ  底部
１３ｃ  長穴
１４    中基板
１５    蓋基板
１５ａ  長穴
２１    後輪歯車
２２    第１の２段歯車
２２ａ  大径歯車
２２ｂ  小径歯車
２３    伝達歯車
２３ａ  軸ピン
２４    畜力用歯車
２４ａ  大径歯車
２４ｂ  小径歯車
２４ｃ  巻込用突片部
２４ｄ  軸ピン
２４ｅ  突ピン
２４ｆ  突ピン
２５    第２の２段歯車
２５ａ  大径歯車
２５ｂ  小径歯車
３０    ゼンマイ
３０ａ  係合受部
４１    装飾体玩具付筆記具
４１Ａ  装飾体玩具付筆記具
４１Ｂ  装飾体玩具付筆記具
５１    筆記具
５１Ａ  筆記具
５１ｃ  鉛筆芯
５１ｄ  ボール芯
５２    嵌着部
５３    小径部
５４    大径部
５５    蛇腹部
６１    装飾体玩具付筆記具セット
７１    装飾体玩具付筆記具セット
７２    支持体
７３    支持孔
８１    ピン
８２    前輪フレーム
８３    ハンドル
８４    前輪
【図１】
0003119528.tif 000003
【図２】
0003119528.tif 000004
【図３】
0003119528.tif 000005
【図４】
0003119528.tif 000006
【図５】
0003119528.tif 000007
【図６】
0003119528.tif 000008
【図７】
0003119528.tif 000009
【図８】
0003119528.tif 000010
【図９】
0003119528.tif 000011
【図１０】
0003119528.tif 000012
【図１１】
0003119528.tif 000013
【図１２】
0003119528.tif 000014
【図１３】
0003119528.tif 000015
【図１４】
0003119528.tif 000016
【図１５】
0003119528.tif 000017
【図１６】
0003119528.tif 000018
【図１７】
0003119528.tif 000019
【図１８】
0003119528.tif 000020
【図１９】
0003119528.tif 000021